(57)【特許請求の範囲】
【請求項１】
監視カメラや照明器のような高所で使用される高所使用器材（３）を、基台（１）上に立設した伸縮ブーム（２）により低所の格納位置と高所の使用位置との間で昇降させ得るようにした高所使用器材付きリフター装置であって、
高所使用器材（３）は、伸縮ブーム（２）の上端より下方の下動位置（Ａ）と伸縮ブーム（２）の上端より上方の上動位置（Ｂ）との間で上下変位させ得るように設置し、
高所使用器材（３）を前記下動位置（Ａ）と前記上動位置（Ｂ）との間で上下動させる上下動手段（５０）と、高所使用器材（３）を前記下動位置（Ａ）と前記上動位置（Ｂ）とでそれぞれ支持する支持手段（６０，６１）とを備え、
上下動手段（５０）を伸縮ブーム（２）で共用し、
伸縮ブーム（２）の伸長により高所使用器材（３）を伸縮ブーム上端とともに上動位置（Ｂ）まで上動させた位置で高所使用器材（３）を仮保持できる仮保持手段（７０）を有し且つ仮保持手段（７０）で高所使用器材（３）を仮保持させた後、伸縮ブーム（２）を縮小させて高所使用器材（３）を伸縮ブーム上端に対して上動位置（Ｂ）に位置せしめ、上動位置（Ｂ）にある高所使用器材（３）を上動位置用支持手段（６１）で伸縮ブーム上端部に連結し得るように構成している、
ことを特徴としている高所使用器材付きリフター装置。
【請求項２】
請求項１において、
基台（１）の４隅をそれぞれジャッキ（４３，４３・・）で昇降自在に支持している、
ことを特徴としている高所使用器材付きリフター装置。
【請求項３】
請求項２において、
基台（１）の前後各位置に外筒（４１）に対して内筒（４２）が左右各側に出没する前後一対のアウトリガ（４，４・・）を取付けて、各内筒（４２，４２・・）の先端部にそれぞれジャッキ（４３，４３・・）を取付け、
各ジャッキ（４３，４３・・）は、それぞれトラック荷台（８１）の高さより伸縮ストロークが長いものを使用しているとともに、
各アウトリガ（４，４・・）の格納状態においてリフター装置全体の左右外側面間隔がトラック荷台（８１）の幅の範囲内に収まる一方、各アウトリガ（４，４・・）の最張出状態において左右の各ジャッキ（４３，４３）のそれぞれ内側面間隔がトラック荷台（８１）を幅方向に跨ぐ位置まで拡がるように設定している、
ことを特徴としている高所使用器材付きリフター装置。
【発明の詳細な説明】
【技術分野】
【０００１】
本願発明は、監視カメラや照明器のような高所で使用される高所使用器材を伸縮ブームにより高所の使用位置と低所の格納位置との間で昇降させ得るようにした高所使用器材付きリフター装置に関するものである。
【背景技術】
【０００２】
屋外において周囲をカメラで監視したり夜間照明をしたりする場合には、監視カメラや照明器等を高所に設置して行うことが多い。又、それらの器材の不使用時には、周囲の景観を損なったり邪魔になったりすることから、該器材を低所に格納することが行われている。
【０００３】
この種の高所使用器材（監視カメラや照明器）を高所の使用位置と低所の格納位置との間で昇降させ得るようにしたものとして、従来から例えば図２２に示すような伸縮照明塔が汎用されている。尚、この伸縮照明塔は、本願が対象にしている高所使用器材付きリフター装置に相当するものである。
【０００４】
又、この種の伸縮照明塔の公知例としては、例えば実公昭６３−４６９７７号公報（特許文献１）、実公平４−４７８４８号公報（特許文献２）、実公平５−４６４８号公報（特許文献３）等に示されるものがある。
【０００５】
図２２に示す伸縮照明塔は、基台１０１上に伸縮ブーム１０２を立設し、該伸縮ブーム１０２の先端ブーム１２３の上端部に照明器１３２を取付けて構成されている。基台１０１の下面には４つのキャスター１１１が取付けられている。伸縮ブーム１０２は、３段ブームのものが採用されている。又、図２２の伸縮照明塔では、照明器１３２の上端（照明器取付台の上端）１３２ａが伸縮ブーム１０２の伸縮部上端１０２ａより高さＨ1（Ｈ1＝例えば２０〜３０cm）だけ高位置にある（特許文献２と特許文献３のものも同じ）。
【０００６】
そして、図２２の伸縮照明塔は、不使用時には伸縮ブーム１０２を最縮小させて照明器１３２を低所に位置させ、使用時には伸縮ブーム１０２を鎖線図示（符号１０２′）するように最伸長させることで、照明器１３２を鎖線図示（符号１３２′）する高所で使用できるようになっている。
【０００７】
ところで、この種の伸縮照明塔では、使用時において照明器１３２を所望の高所（例えば地面から７ｍ程度の高さ）まで持ち上げ得るようにすることが要求されるが、使用時における照明器１３２の高さを高くするには、伸縮ブーム１０２の単ブーム１本当たりの長さを長くするか、単ブーム本数を多くすることが考えられる。しかし、単ブーム１本当たりの長さを長くすると、格納状態（伸縮ブームの最縮小状態）でも伸縮照明塔全体の高さ（図２２の高さＨ3）が高くなり、単ブーム本数を多くする（例えば４〜５段ブームにする）と重量が重くなるとともに構成が複雑になる。因に、図２２に示すように、伸縮ブーム１０２として３段ブーム式のものを使用した場合で、伸縮ブーム最伸長状態で照明器１３２を７ｍ程度の高さ（Ｈ2）まで持ち上げ得るようにするには、伸縮ブーム１０２が最縮小した状態であっても照明器１３２の上端高さＨ3が３ｍ程度になる。
【０００８】
又、図２２の伸縮照明塔を使用場所に搬入するには、トラック荷台上に載せて運搬するが、この伸縮照明塔のトラック荷台への積み降ろしは、クレーンやフォークリフトを使用して行われる。
【０００９】
【特許文献１】実公昭６３−４６９７７号公報
【特許文献２】実公平４−４７８４８号公報
【特許文献３】実公平５−４６４８号公報
【発明の開示】
【発明が解決しようとする課題】
【００１０】
ところで、図２２に示す従来の伸縮照明塔では、次のような各種の問題点がある。
【００１１】
(1) 照明器１３２が先端ブーム１２３の定位置に上下不変状態で取付けられ、且つ照明器１３２の上端（照明器取付台の上端）１３２ａが伸縮ブーム１０２の上端１０２ａより高所に位置しているので、伸縮ブーム１０２の最縮小状態でも照明器上端１３２ａが地面からかなりの高位置（高さＨ3＝約３ｍ）になる。従って、伸縮ブーム１０２が最縮小状態（格納状態）であっても、この伸縮照明塔の全体高さＨ3が高くなって各種の不利が生じる。特に、この伸縮照明塔をトラックで搬送する際に、トラック荷台上に伸縮照明塔を直立姿勢で載せると、トラック荷台高さ（例えば０.８〜１ｍ）に伸縮照明塔の全体高さＨ3が加わるので、道路運送車輌法による高さ制限（３.８ｍ）を超えるおそれがある。
【００１２】
尚、特許文献１（実公昭６３−４６９７７号公報）の伸縮照明塔では、照明器を逆Ｌ形ブラケットで吊下げて照明器上端を伸縮ブームの伸縮部上端より下方に位置させているが、このように照明器を伸縮ブームの伸縮部上端より下方に位置させたものでは、該照明器が伸縮ブーム上端より上方に突出しないものの、その分、照明器の使用状態（伸縮ブーム最伸長状態）での高さが低くなる。従って、この場合、照明器の揚程を大きくするには伸縮ブームのストロークを大きくする必要があり、結果的に伸縮照明塔の全高が高くなる（あるいは伸縮ブームのブーム段数が増える）。
【００１３】
(2) 高所使用器材（照明器や監視カメラ）を伸縮ブーム先端部に固定したものでは、該器材の揚程が伸縮ブームのストローク範囲に制限されるので、器材の揚程を大きくしようとすると、ストロークの長い伸縮ブームを使用しなければならず、従って格納状態における全体高さが高くなる。
【００１４】
(3) 上記従来例（図２２）の伸縮照明塔は、昇降の対象器材が傘（反射鏡）つきの照明器１３２であって、使用状態では照明器が一方向に向く固定姿勢であっても支障がないが、対象器材が、例えば全周を照らすカバーなしの照明灯である場合や、周方向の全域を監視する複数個の監視カメラである場合等には、該器材が伸縮ブーム先端部より低位置にあると伸縮ブーム先端部が照明や視界の邪魔になる。
【００１５】
尚、そのような周方向全域を照明又は監視する器材を伸縮ブーム先端部より上方位置に設置したものでは、伸縮ブーム先端部が照明や視界の邪魔にならないが、伸縮ブーム先端部上に設置する分、全体高さが高くなる。
【００１６】
(4) 図２２の伸縮照明塔は、使用時に基台下面の４つのキャスター１１１，１１１・・が接地するが、各キャスターで囲われる面積範囲は比較的小さいので、照明器使用状態（伸縮ブーム１０２を最伸長させた状態）では重心位置が高くなって不安定になる。又、基台１０１の設置地面が傾斜していたり、キャスター位置の地面が凹状又は凸状になっていると、基台を水平設置できない（伸縮ブーム１０２が鉛直姿勢にならない）ので、一層不安定になる。
【００１７】
(5) 伸縮照明塔をトラック荷台に積み降ろしするのに、クレーンやフォークリフトが必要であり、特に使用現場で伸縮照明塔をトラック荷台に積み降ろすには、クレーン車やフォークリフト車も使用現場まで移送する必要がある。
【００１８】
そこで、本願発明は、上記従来例の各種問題点を改善し得るようにした高所使用器材（監視カメラや照明器）付きのリフター装置を提供することを目的としている。
【課題を解決するための手段】
【００１９】
本願発明は、上記課題を解決するための手段として次の構成を有している。尚、本願発明は、監視カメラや照明器のような高所で使用される高所使用器材付きリフター装置を対象にしている。
【００２０】
［本願請求項１の発明］
本願請求項１の発明の高所使用器材付きリフター装置は、監視カメラや照明器のような高所で使用される高所使用器材を、基台上に立設した伸縮ブームにより低所の格納位置と高所の使用位置との間で昇降させ得るようにしたものである。
【００２１】
この高所使用器材付きリフター装置を基台のみで支持するものでは、該基台として使用時の安定性を確保するために適宜の面積を有したものが使用される。又、基台の下面には、４隅付近にそれぞれキャスターを取付けてもよい。
【００２２】
本願の高所使用器材付きリフター装置で使用する伸縮ブームとしては、例えば２段伸縮式（３段ブーム）のものが使用できる。又、この伸縮ブームは、１基のみでもよいが、基台上に間隔をもって２基使用してもよい。尚、伸縮ブームを２基使用する場合は、高所使用器材を両伸縮ブーム間に設置するとよい。
【００２３】
高所使用器材（監視カメラや照明器）は、伸縮ブームの上端より下方の下動位置と伸縮ブームの上端より上方の上動位置との間で上下変位させ得るように設置している。この高所使用器材は、伸縮ブームの先端ブームに対して縦向きのガイド棒で上下変位可能にガイドしておくとよい。尚、高所使用器材は適宜の取付台に取付けておき、該取付台を介して高所使用器材を上下変位させ得るようにするとよい。
【００２４】
本願請求項１の高所使用器材付きリフター装置には、高所使用器材を前記下動位置と前記上動位置との間で上下動させる上下動手段と、高所使用器材を前記下動位置と前記上動位置とでそれぞれ支持する支持手段とを備えている。
【００２５】
上下動手段としては、伸縮シリンダやチェーン式リフト等の適宜の昇降装置が使用できる。
【００２６】
各支持手段としては、高所使用器材を前記下動位置と前記上動位置とでそれぞれ支持し得るものであれば適宜のものが使用できる。例えば、下動位置用の支持手段としては、高所使用器材の下動を規制するストッパー（ロックピンでもよい）が使用でき、上動位置用の支持手段としてはロックピンが使用できる。
【００２７】
そして、この請求項１の高所使用器材付きリフター装置は次のように使用される。
【００２８】
まず、高所使用器材の不使用時には、伸縮ブームを最縮小させるとともに高所使用器材を伸縮ブーム上端より下方の下動位置で支持手段（例えばストッパー）により支持しておく。この状態（低所の格納状態）では、伸縮ブームが最縮小し且つ高所使用器材が伸縮ブーム上端より下方に位置しているので、リフター装置全体の高さが低くなっている。
【００２９】
他方、高所使用器材の使用時には、高所使用器材を伸縮ブーム上端より上方の上動位置で支持手段（例えばロックピン）により支持した状態で伸縮ブームを最伸長させる。この状態（高所の使用状態）では、伸縮ブームが最伸長し且つ高所使用器材が伸縮ブーム上端より上方に位置しているので、高所使用器材の高さが高所になる。又、この高所使用状態では、高所使用器材が伸縮ブーム上端より上方に位置しているので、高所使用器材の周囲に邪魔物（伸縮ブームの上端部）が存在しない。
【００３０】
又、この請求項１の発明では、上記の高所使用器材付きリフター装置において、上下動手段を伸縮ブームで共用している。
【００３１】
さらに、この請求項１の発明では、伸縮ブームの伸長により高所使用器材を伸縮ブーム上端とともに上動位置まで上動させた位置で高所使用器材を仮保持できる仮保持手段を有し且つ該仮保持手段で高所使用器材を仮保持させた後、伸縮ブームを縮小させて高所使用器材を伸縮ブーム上端に対して上動位置に位置せしめ、該上動位置にある高所使用器材を上動位置用支持手段で伸縮ブーム上端部に連結し得るように構成している。
【００３２】
即ち、この請求項１の発明では、高所使用器材を、伸縮ブーム上端部に連結した状態（高所使用器材が伸縮ブーム上端部とともに上下動する）と仮保持手段で仮保持した状態（高所使用器材が伸縮ブーム上端部に対して自由状態になる）との２形態で支持（載せ変え）できるようになっている。
【００３３】
従って、この請求項１の発明の高所使用器材付きリフター装置では、高所使用器材を伸縮ブーム上端に対して下動位置と上動位置とに変更させるのに、仮保持手段の機能により上下動手段として伸縮ブームを利用できるようになっている。
【００３４】
［本願請求項２の発明］
本願請求項２の発明は、上記請求項１の高所使用器材付きリフター装置において、基台の４隅をそれぞれジャッキで昇降自在に支持している。尚、各ジャッキは、同期伸縮できるとともに、伸縮量を個別に調整し得るものである。
【００３５】
この請求項２の発明の高所使用器材付きリフター装置では、設置地面が傾斜していたり凹凸があったりする場合でも、各ジャッキの伸縮量を個別に調整することにより、基台を水平姿勢に維持させた状態で使用できる。
【００３６】
又、この請求項２の発明の高所使用器材付きリフター装置では、高所使用器材の揚程として、伸縮ブームの伸縮ストロークとは別にジャッキの伸縮ストローク分を追加することができる。
【００３７】
ところで、この高所使用器材付きリフター装置は、トラック荷台に搭載して公道を搬送されるが、公道を走行する場合には道路運送車輌法による高さ制限があって格納状態での高所使用器材付きリフター装置自体の全高を低く抑える必要がある。即ち、高所使用器材付きリフター装置の全高は、道路運送車輌法による高さ制限（３.８ｍ）からトラック荷台の高さ（例えば０.８〜１ｍ）を減じた高さ（例えば２.８〜３ｍ）以内に収める必要がある。このように、高所使用器材付きリフター装置自体の全高を低く抑えるには、伸縮ブームとして単ブーム長さの短いものを使用する必要があり、ブーム段数の少ないもの（例えば３段ブーム）では伸縮ストロークが短くなって十分な揚程を確保できないことがある。尚、伸縮ブームとして多段式のもの（例えば４〜５段ブーム）を使用すると、その分、伸縮ブームの伸縮ストロークが長くなるものの、構造が複雑になり且つ重量が重くなるという欠点がある。
【００３８】
そこで、この請求項２の発明の高所使用器材付きリフター装置では、メインの伸縮ブームとは別に基台を昇降させるジャッキを有していることにより、リフター装置自体の全高が制限されるトラック運搬型であっても、ジャッキの伸縮ストローク分だけ伸縮ブームの伸縮ストロークを少なくできる（単ブーム長さを短くできる）。
【００３９】
［本願請求項３の発明］
本願請求項３の発明は、上記請求項２の高所使用器材付きリフター装置において、基台の前後各位置に外筒に対して内筒が左右各側に出没する前後一対のアウトリガを取付けて、各アウトリガ内筒の先端部にそれぞれジャッキ（合計４本）を取付けている。
【００４０】
各ジャッキは、このリフター装置を搬送するためのトラック荷台の高さより伸縮ストロークの長いものを使用している。尚、本願のリフター装置を搬送するトラックの荷台高さは例えば０.８〜１ｍ程度であるが、ジャッキとしてリフター装置の基台下面をトラック荷台の上面から余裕をもって浮上させ得る伸長ストローク（例えば１.６ｍ程度の伸長ストローク）を有するものが使用される。
【００４１】
又、この請求項３の高所使用器材付きリフター装置では、各アウトリガの格納状態においてリフター装置全体の左右外側面間隔がトラック荷台の幅の範囲内に収まる一方、各アウトリガの最張出状態において左右の各ジャッキのそれぞれ内側面間隔がトラック荷台を幅方向に跨ぐ位置まで拡がるように設定している。尚、この請求項３で使用される高所使用器材付きリフター装置は、アウトリガ格納状態での左右幅（左右外側面間隔）が１.８ｍ程度であり、このリフター装置を搬送するトラックとして、荷台幅がそれより広いものが使用される。
【００４２】
そして、この請求項３の高所使用器材付きリフター装置は、次のようにして自力でトラック荷台に対して積み降ろしできるようになっている。
【００４３】
即ち、この高所使用器材付きリフター装置をトラック荷台に積み込むには、該リフター装置を地面上に設置した状態（基台が接地）から各アウトリガをそれぞれ左右外方に張り出し→各ジャッキを伸長させて基台をトラック荷台高さより上方まで浮上させ→トラック荷台を後進により基台の下方空間に入れ→各ジャッキを縮小させて基台をトラック荷台上に着座させ→ジャッキ最縮小状態で各アウトリガを格納することで積み込みが完了する。又、トラック荷台上に載せている高所使用器材付きリフター装置を地上に降ろすには、上記積み込み時の動作を逆順序で行えばよい。
【発明の効果】
【００４４】
［本願請求項１の発明の効果］
本願請求項１の高所使用器材付きリフター装置は、高所使用器材（監視カメラや照明器）を伸縮ブーム上端より下方の下動位置と伸縮ブームの上端より上方の上動位置との間で上下変位させ得るように設置し、上下動手段と各支持手段により高所使用器材を下動位置と上動位置とでそれぞれ支持し得るように構成されている。
【００４５】
従って、本願請求項１の発明の高所使用器材付きリフター装置には、次のような効果がある。
【００４６】
(1) 不使用時に高所使用器材を低所に格納する際には、高所使用器材を下動位置（伸縮ブーム上端より下方）で支持することによりリフター装置全体の高さを低くでき、コンパクト化が達成できる。尚、このように、格納時におけるリフター装置全体の高さを低く抑えると、このリフター装置をトラック荷台に積み込んで公道を走行するときの高さ制限に余裕ができる。
【００４７】
(2) 使用時に高所使用器材を高所に持ち上げる際には、高所使用器材を上動位置（伸縮ブーム上端より上方）で支持することにより、高所使用器材を伸縮ブームの伸縮ストローク分とは別に伸縮ブーム上端に対する高所使用器材の上下変位量だけ余分に揚程をとることができる。
【００４８】
(3) 高所使用器材が伸縮ブーム先端に対して上動位置にあると、高所使用器材の高所使用状態において、該高所使用器材の周囲に邪魔物（伸縮ブーム上端部）がなくなり、格納状態で高所使用器材が伸縮ブーム上端より下方に位置するものであっても、伸縮ブーム上端部が高所使用器材の視界障害にならない。
【００４９】
又、本願請求項１の発明は、上記の高所使用器材付きリフター装置において、上下動手段を伸縮ブームで共用していることにより、高所使用器材を下動位置と上動位置との間で上下変位させるのに伸縮ブームを利用して行える。
【００５０】
従って、この請求項１の発明の高所使用器材付きリフター装置では、上記効果に加えて、専用の上下動手段が不要となって、コストダウンを図れるとともに軽量化を達成できるという効果がある。
【００５１】
［本願請求項２の発明の効果］
本願請求項２の発明は、上記請求項１の高所使用器材付きリフター装置において、基台の４隅をそれぞれジャッキで昇降自在に支持している。
【００５２】
従って、この請求項２の発明の高所使用器材付きリフター装置では、請求項１の上記効果に加えて、次のような効果がある。
【００５３】
まず、高所使用器材の揚程として、伸縮ブームの伸縮ストロークとは別にジャッキの伸縮ストローク分を追加することができ、格納状態で全高を低く抑えた構成の高所使用器材付きリフター装置であっても、高所使用器材の揚程を大きくできる。又は、ジャッキによる揚程増加分だけ伸縮ブームの伸縮ストロークを少なくすることができ（単ブーム長さを短くできる）、その結果、格納状態でのリフター装置の全高を一層低くできる。
【００５４】
又、高所使用器材の使用時には、各ジャッキの伸縮量を個別に調整することにより、設置地面が傾斜していたり凹凸があったりする場合でも基台を水平姿勢に維持させることができるので、使用姿勢が安定する。
【００５５】
［本願請求項３の発明の効果］
本願請求項３の発明は、上記請求項２の高所使用器材付きリフター装置において、各ジャッキの伸縮ストロークをトラック荷台高さより長くするとともに、各ジャッキをアウトリガでトラック荷台幅を超えて左右に出没させ得るようにしている。
【００５６】
従って、この請求項３の発明の高所使用器材付きリフター装置では、請求項２の上記効果に加えて、この高所使用器材付きリフター装置を自力でトラック荷台に積み降ろしできるという効果がある。
【実施例】
【００５７】
図１〜図２１を参照して本願のいくつかの実施例を説明すると、図１〜図１６には第１実施例、図１７〜図２０には第２実施例、図２１には第３実施例の高所使用器材付きリフター装置がそれぞれ示されている。尚、本願で対象にしている高所使用器材は、監視カメラや照明器のような高所において使用されるものであり、第１実施例（図１〜図１６）と第２実施例（図１７〜図２０）では、高所使用器材３としてそれぞれ監視カメラ３１が採用されており、第３実施例（図２１）では、高所使用器材３として照明器３２が採用されている。
【００５８】
尚、以下の各実施例において表示した各種寸法は、それぞれ一例であって適宜に設計変更可能である。又、各実施例の説明において、左右とはアウトリガ４，４の出没方向であり、前後とはその水平直交方向のことである。
【００５９】
［図１〜図１６の第１実施例］
第１実施例の高所使用器材付きリフター装置は、図１〜図３に示すように、適宜面積を有する矩形平板状の基台１と、該基台１上に前後に間隔をもって立設した２基の伸縮ブーム２，２と、両伸縮ブーム２，２によって昇降せしめられる高所使用器材３（この第１実施例では監視カメラ３１）と、基台１の前後各端部において左右各側に出没する一対のアウトリガ（合計４基）４，４・・とを基本構成としている。
【００６０】
基台１としては、前後幅が２ｍ程度、左右幅が１.８ｍ程度の大きさのものが使用されている。基台１の下面４隅には、それぞれキャスター１１，１１・・が取付けられていて、この高所使用器材付きリフター装置を手押し式に移動させ得るようになっている。尚、このキャスター１１の高さは３０〜３５cm程度である。又、各キャスター１１，１１・・は基台１に対して着脱自在に取付けており、図１４〜図１６に示すように、この高所使用器材付きリフター装置をトラック荷台８１上に搭載して運搬する際には、キャスターを取外した状態（全高が低くなる）で行えるようになっている。
【００６１】
各伸縮ブーム２，２は、この実施例では、基端ブーム２１と中間ブーム２２と先端ブーム２３からなる３段ブーム式のものが採用されている。又、各伸縮ブーム２，２は、最縮小状態（図６、図７）での長さが２〜２.２ｍ程度であり、伸縮ストロークとして２.４〜２.８ｍ程度を有している。そして、この各伸縮ブーム２，２は、基台１上の前後各端部寄りで左右中央部の位置において、それぞれ鉛直姿勢で立設されている。
【００６２】
高所使用器材３となる監視カメラ３１は、この第１実施例では図１に示すように合計４台使用し、上下２台ずつを前後（又は左右）各外向きに配置して、前後各外方を同時に監視できるようにしたものを採用している。この各監視カメラ３１，３１・・は、取付台３３上に一体的に固定している。そして、この各監視カメラ３１，３１・・は、取付台３３を後述する支持台３５上に軸受３４で支持して、角度９０°の範囲で水平回転し得るように設置される。
【００６３】
高所使用器材３（監視カメラ３１）は、伸縮ブーム２，２によって低所の格納位置（図１、図３）と高所の使用位置（図１３）の間で昇降せしめられる一方、後述するように伸縮ブーム２の上端より下方の下動位置Ａ（例えば図１、図３）と伸縮ブーム２の上端より上方の上動位置Ｂとの間で上下変位せしめられるようになっている。尚、この実施例では、伸縮ブーム２の先端ブーム２３上端部に左右外方に張出する張出材２４を設けており、該張出材２４の上端が伸縮ブーム２の上端となる。
【００６４】
この実施例の高所使用器材付きリフター装置には、下動位置Ａと上動位置Ｂとの間で高所使用器材３を上下動させる上下動手段５０と、高所使用器材３を下動位置Ａと上動位置Ｂとでそれぞれ支持する各支持手段６０，６１とを有している。
【００６５】
上下動手段５０は、この第１実施例では各伸縮ブーム２，２で共用しているが、各伸縮ブーム２，２と高所使用器材３とは以下に説明する構造で連結させている。
【００６６】
前後に位置する各伸縮ブーム２，２の各先端ブーム２３上端には、それぞれ左右各外方に所定長さ張り出した張出材２４，２４が取付けられている。この各張出材２４，２４の左右各端部には、それぞれ下向きに突出するガイド棒５１，５１（前後一対で合計４本）が固定されている。この実施例では、ガイド棒５１，５１・・として角パイプ材が使用されておいる。この各ガイド棒５１，５１・・は、張出材２４の下面から１.６〜１.７ｍ程度の長さを有している。尚、前後一対の各ガイド棒５１，５１の左右間隔（図３、図４の状態）は、５０〜６０cm程度である。
【００６７】
各ガイド棒５１，５１・・には、それぞれスライド筒５２（合計４つ）が上下スライド自在に装着されている。この各スライド筒５２の長さは３０〜４０cm程度である。この４つのスライド筒５２，５２・・は、高所使用器材３（取付台３３）を支持する支持台３５で連結されいる。この支持台３５上の中央部には、高所使用器材３の取付台３３が軸受３４で水平回転可能に支持されている。尚、高所使用器材３（監視カメラ３１）は、軸受３４部分の止めネジを緩めることで取付台３３とともに水平回転可能となり、このリフター装置を地上に設置した状態でも高所使用器材３（監視カメラ３１）の指向方向を調整し得るようになっている。
【００６８】
高所使用器材３と取付台３３と支持台３５と各スライド筒５２，５２・・とは、一体化された状態で４本のガイド棒５１，５１・・にガイドされて水平姿勢のまま上下変位し得るようになっている。尚、以下の説明では、高所使用器材３と取付台３３と支持台３５と各スライド筒５２，５２・・とを総称して昇降体ということがある。
【００６９】
そして、各スライド筒５２が各ガイド棒５１の下端位置まで降下した状態では、図１、図３、図４、図６〜図９の各図に示すように、高所使用器材３（監視カメラ３１）の上端が伸縮ブーム上端（張出材２４の上端）より若干下方の下動位置Ａに位置し、他方、図１１及び図１３に示すように、各スライド筒５２が各ガイド棒５１の上端位置まで上昇した状態では、高所使用器材３の全体が伸縮ブーム上端（張出材２４の上端）より上方にある上動位置Ｂに位置するようになっている。尚、各スライド筒５２（昇降体）の伸縮ブーム上端に対する昇降範囲は約１.３ｍである。
【００７０】
各支持手段６０，６１は、高所使用器材３を伸縮ブーム２の上端に対して下動位置Ａ（例えば図４、図５）と上動位置Ｂ（例えば図１１、図１２）とでそれぞれ支持するものである。
【００７１】
下動位置Ａ用の支持手段６０としては、図４及び図５に示すように各ガイド棒５１，５１の下端部に各スライド筒５２，５２の下動を規制するストッパーを採用している。このストッパー６０は、ガイド棒５１の外形より大径のフランジ部を有し、該フランジ部でスライド筒５２の下面を受け得るようになっている。尚、この各ストッパー６０は、それぞれガイド棒５１の下端部にピン結合によって固定している。そして、この下動位置Ａ用の支持手段となる各ストッパー６０は、昇降体（高所使用器材３と取付台３３と支持台３５と各スライド筒５２）が各ガイド棒５１，５１・・に対して最下動した状態で各スライド筒５２の下面を支持し、昇降体がそれ以上、下動するのを規制するようになっている。
【００７２】
上動位置Ｂ用の支持手段６１としては、図１２に拡大図示するように各ガイド棒５１に設けたピン挿通穴６８（合計４つ）と、該各ピン挿通穴６８にそれぞれ係合する各ピンユニット６２（合計４つ）とを採用している。各ピンユニット６２は、図５及び図１２に示すように、ピンケース６３内に収容したハンドル６５付きのピン６４をスプリング６６で突出方向（ロック方向）に付勢している。このピンユニット６２は、スライド筒５２の側面（前後方向の各内側面）に取付けたブラケット５４に対して、ピン６４の先端部６４ａがガイド棒５１の左右幅中心に向く位置で横向きに取付けている。尚、この実施例では、スライド筒５２におけるピンユニット取付ブラケット５４の対向面にピン受け用の補助ブラケット５５が取付けられており、該補助ブラケット５５にピン先端部６４ａを挿入させるピン穴５５ａが形成されている。
【００７３】
他方、各ガイド棒５１，５１・・には、その上部寄り位置に前後方向に貫通するピン挿通穴６８が形成されている。この各ピン挿通穴６８は、図１２に示すようにスライド筒５２がガイド棒５１の最上動位置付近まで上昇した位置（図１０に示すように後述する仮保持手段７０のピン先端部７４ａが基端ブーム２１に取付けられたピン受台７１上に係止される位置）において、ピンユニット６２のピン先端部６４ａが対面する位置に形成されている。
【００７４】
そして、この上動位置Ｂ用の支持手段６１は、図５又は図１２に示すように、各ピンユニット６２のピン６４が実線図示する没入位置（ロック解除状態）にあるときにはスライド筒５２（昇降体全体）がガイド棒５１に対して可能となっており、図１２に示す上動位置Ｂにおいてピン６４を突出させるとピン先端部６４ａが鎖線図示（符号６４ａ′）するようにガイド棒５１のピン挿通穴６８（及び補助ブラケット５５のピス穴５５ａ）に挿入されてロック状態となる。
【００７５】
この第１実施例の高所使用器材付きリフター装置では、昇降体（高所使用器材３を含む）を昇降させる上下動手段５０として伸縮ブーム２，２を共用しているが、この場合、昇降体（各スライド筒５２）を上動位置Ｂで仮保持させるための仮保持手段７０が使用される。
【００７６】
この仮保持手段７０は、図４及び図１０に拡大図示するように、各伸縮ブーム２，２の基端ブーム２１，２１における左右各側面の上部寄り位置にそれぞれ取付けた各ピン受台７１（合計４つ）と、該各ピン受台７１に係脱自在に係合するピンユニット７２（合計４つ）とを有している。
【００７７】
仮保持手段７０の各ピン受台７１は、図４及び図１０に示すように、上面にピン受け用の凹入部を設けたもので、図１０に示すように基端ブーム２１の左右各側面の上部寄り位置におけるスライド筒５２に対面する位置に取付けられている。尚、この各ピン受台７１は、基端ブーム２１の側面に対してアジャスターによって取付高さを微調整し得るようになっている。
【００７８】
仮保持手段７０の各ピンユニット７２は、前記上動位置用支持手段６１のピンユニット６２と同構造のものが採用されている。即ち、この仮保持手段７０の各ピンユニット７２は、図５及び図１０に示すように、ピンケース７３内に収容したハンドル７５付きのピン７４をスプリング７６で突出方向（ロック方向）に付勢したものを使用している。そして、この各ピンユニット７２は、前記上動位置用支持手段６１の各ピンユニット６２を取付けている各ブラケット５４に、ピン７４の先端部７４ａがピン受台７１側に向く横向き姿勢で取付けている。尚、ピンユニット取付用ブラケット５４に対面する位置にある前記補助ブラケット５５には、仮保持手段７０のピンユニット７２のピン先端部７４ａを挿入させるピン穴５５ｂが形成されている。
【００７９】
そして、仮保持手段７０の各ピンユニット７２は、図１０に実線図示するようにピン７４が没入する状態ではピン受台７１に対して非係合状態となり、スライド筒５２を上動位置Ｂまで上昇させた位置（図８〜図１０）でピン７４を突出させると、ピン先端部７４ａが図１０に鎖線図示（７４ａ′）するようにピン受台７１の上面（凹入部）に係合する（載る）ようになっている。
【００８０】
アウトリガ４，４・・は、基台１の前後各端部に左右各向きに一対ずつ（合計４基）設置されている。この各アウトリガ４，４・・は、外筒４１に対して内筒４２が左右各側に出没するものである。各内筒４２の出没ストロークは、片側６０〜７０cm程度である。
【００８１】
各内筒４２，４２・・の先端部には、それぞれジャッキ４３，４３・・が取付けられている。この各ジャッキ４３，４３・・は、１.６ｍ程度の伸縮ストロークを有している。
【００８２】
そして、各アウトリガ４，４・・を図７に鎖線図示するように全伸長させた状態では、各ジャッキ４３，４３・・は、前後間隔（図６）が２.２〜２.３ｍ程度、左右間隔（図７）が３.１〜３.２ｍ程度になり、このリフター装置を広面積範囲の４点で支持できる。又、各ジャッキ４３，４３・・を図６及び図７に示すように最伸長させると、基台１の下面を地面から１.５ｍ程度離間させることができ、基台下面にキャスター１１を取付けた状態でも、該キャスター１１の下面を地面から１.１５〜１.２ｍ程度浮上させることができる。
【００８３】
ところで、この第１実施例の高所使用器材付きリフター装置は、図１４〜図１６に示すように、トラック荷台８１に対して自力で積み降ろしできるようになっている。尚、トラック荷台８１は、高さが０.８〜１ｍ程度であり、左右幅が２.０〜２.２ｍ程度である。
【００８４】
全アウトリガ４，４・・を最縮小させた状態では、図１５に実線図示するようにリフター装置全体の左右各外側面の間隔（例えば１.８ｍ）がトラック荷台８１の幅より小さくなっている。従って、この高所使用器材付きリフター装置をトラック荷台８１の中央部に搭載した状態では、該リフター装置の左右外側面がトラック荷台８１の左右幅からはみ出ることがない。他方、全アウトリガ４，４・・を全伸長させたときには、図１５に鎖線図示するように左右に位置する各ジャッキ４３，４３・・の内側面間隔（例えば２.８ｍ程度になる）がトラック荷台８１の幅よりかなり大きくなる。従って、全アウトリガ４，４・・を全伸長させた状態では、リフター装置をトラック荷台８１上に載せた状態でも各ジャッキ４３，４３・・を伸縮させることができる。
【００８５】
又、各ジャッキ４３，４３・・の伸縮ストロークは１.６ｍで、各ジャッキ４３を最伸長させると、図１６に示すように基台１の下面を地面から１.５ｍ程度浮上させることができる。従って、基台１の下面の下方にトラック荷台８１の高さ（０.８〜１ｍ）より高いスペースを確保できる。この場合、図９に示すように基台１の下面にキャスター１１を取付けた状態でも、その下方スペース内にトラック荷台８１を送込むことができるが、この高所使用器材付きリフター装置をトラック荷台８１上に載せて搬送する場合には、基台１下面のキャスター１１を取外しておくと、この高所使用器材付きリフター装置の全高が低くなって道路運送車輌法による高さ制限（３.８ｍ）に余裕ができる。
【００８６】
この実施例の高所使用器材付きリフター装置では、基台１上の外側部を囲う囲い体１２が設けられている。この囲い体１２は、基台１上の周囲４面を被覆する各側面部と、格納状態での高所使用器材３及び伸縮ブーム２，２の上部を被覆し得る天面部とを有している。又、囲い体１２の右側面部には、側面扉１３，１３（図２参照）が設けられ、囲い体１２の天面部には天面扉１４，１４（図３参照）が設けられている。
【００８７】
囲い体１２内の基台１上には、各種操作を行う制御盤１５と、各油圧アクチュエータに作動油を供給する油圧ユニット１６を設けている。制御盤１５は、側面扉１３，１３がある側に設置されており、該制御盤１５の操作は側面扉１３，１３を開放して行う。又、伸縮ブーム２，２を伸長させたり、高所使用器材３を上動させたりする際には、天面扉１４，１４を開放して行う。
【００８８】
この第１実施例の高所使用器材付きリフター装置は、次のようにして使用される。
【００８９】
まず、第１の使用例では、図１〜図３に示すようにキャスター１１付きの状態で使用されるが、この場合は、リフター装置を使用位置において手押しにより移動させたり向きを調整できる。この初期状態では、各伸縮ブーム２，２が最縮小し、昇降体（各スライド筒５２）が各ガイド棒５１に対して最下動位置まで降下した位置で各下動位置用支持手段（ストッパー）６０で支持されている。尚、このとき、上動位置用支持手段６１の各ピンユニット６２のピン６４はそれぞれ没入位置（ロック解除位置）にあり、仮保持手段７０の各ピンユニット７２のピン７４もそれぞれ没入位置（非係合位置）にある。
【００９０】
そして、リフター装置の使用位置及び向きが決まれば、図７に鎖線図示するように各アウトリガ４，４・・を張り出し、続いて各ジャッキ４３，４３・・を伸長させて、リフター装置全体を４本のジャッキ４３，４３で支持する。このとき、使用位置が傾斜地であったり各ジャッキ４３の接地部分に凹凸がある場合には、各ジャッキ４３，４３・・の伸縮量を調整して基台１を水平姿勢に保持する。
【００９１】
次に、各伸縮ブーム２，２を第１段伸長させる（図示例では中間ブーム２２が伸長する）と、図８及び図９に示すように、４本のガイド棒５１，５１・・とともに昇降体（高所使用器材３、取付台３３、支持台３５、各スライド筒５２）が上動し、仮保持手段７０のピンユニット７２のピン７４が基端ブーム２１側のピン受台７１の上面に係合し得る高さまで上動させた位置で、伸縮ブーム２，２の伸長動作を停止させる（図９、図１０の状態）。そして、図１０に鎖線図示するように、仮保持手段７０の各ピンユニット７２（４つある）の各ピン７４をそれぞれロック位置まで突出させて、各ピン先端部７４ａを各ピン受台７１上に係合させる。このピン先端部７４ａをピン受台７１上に係合させるのに、ピンユニット７２のピン７４をピン受台７１の上面より若干高位置まで上動させた位置で一旦伸縮ブーム２の伸長を停止させ、続いてピン７４をロック位置に突出させた後、伸縮ブーム２を縮小させて該ピン７４の先端部７４ａをピン受台７１上に係止する（載せる）ようにすると、該ピン７４をピン受台７１に対して容易に且つ確実に係合させることができる。そして、仮保持手段７０による仮保持状態（４つのピン先端部７４ａがそれぞれ４つのピン受台７１上に係合している）では、昇降体（高所使用器材３、取付台取付台、支持台支持台、各スライド筒５２）の荷重が４つのピン受台７１で支持されている。尚、この状態（図８及び図９の状態）では、昇降体が伸縮ブーム上端に対してまだ下動位置Ａにあり、伸縮ブーム２の上部、張出材２４、各ガイド棒５１等が高所使用器材３と同高さにあり、それらが高所使用器材（監視カメラ）３の視界を妨げる位置にある。
【００９２】
次に、仮保持手段７０で昇降体を仮保持させた状態で各伸縮ブーム２を最縮小させると、図１１に示すように４本のガイド棒５１がそれぞれ各スライド筒５２に対して下動し、昇降体（高所使用器材３）が伸縮ブーム上端に対して上動位置Ｂに位置する（監視カメラの側周部分に邪魔物がなくなる）。この図１１の状態では、図１２に示すように上動位置用支持手段６１のピンユニット６２のピン先端部６４ａがガイド棒５１の上部寄り位置にあるピン挿通穴６８に対面しており（４箇所とも）、該ピンユニット６２のピン６４をロック位置まで突出させることによって、ピン先端部６４ａがピン挿通穴６８に係入される（４箇所とも）。この状態では、各ガイド棒５１と各スライド筒５２とが一体的に結合されている。
【００９３】
尚、この実施例において仮保持手段７０による仮保持状態では、各ピン７４（ピン先端部７４ａ）を各ピン受台７１の上面に載せているだけなので（図１０の鎖線図示状態）、その仮保持状態のままでも伸縮ブーム２を伸長させる（昇降体を上動させる）ことが可能となっているが、仮保持手段としてピンをピン穴に挿通させる形式のものを採用したものでは、上記の上動位置用支持手段６１（ピン６４とピン挿通穴６８）をロック状態にした後に、仮保持手段のピンをピン穴に対してロック解除させる。
【００９４】
次に、図１１の状態（上動位置用支持手段６１がロック状態）から、各伸縮ブーム２を伸長させると、伸縮ブーム先端部（張出材２４）とともに各ガイド棒５１が上動せしめられることにより、昇降体（高所使用器材３〜各スライド筒５２）も上動していく。そして、各伸縮ブーム２，２が最伸長した状態では、図１３に示すように高所使用器材３をＨ4（Ｈ4＝６〜７ｍ）の高さまで持ち上げることができる。尚、図１３に示す高所使用状態で安定性に不安がある場合には、四方に控えワイヤー９を張設してもよい。この場合は、伸縮ブームの最縮小状態で張出材２４のブラケット部分に控えワイヤー９の上端を連結しておき、高所使用器材３を図１３に示す使用高さまで持ち上げた後に該控えワイヤー９の下端をアンカーに連結するようにするとよい。
【００９５】
この第１実施例の高所使用器材付きリフター装置では、使用状態において４つのジャッキ４３で支持できるので、安定性がよくなり、且つ基台１を正確に水平姿勢に維持した状態で使用できる。又、格納状態においては、伸縮ブーム２，２を最縮小させ且つ高所使用器材３を伸縮ブーム上端より下方の下動位置Ａまで降下させることができるので、その格納姿勢での全高を低く抑えることができる。さらに、高所使用器材３の使用状態では、ジャッキ４３の伸長量と、下動位置Ａから上動位置Ｂまでの上昇量と、伸縮ブーム２の伸長量の合計ストローク分だけ上昇させることができるので、格納状態で全高を低く抑え得るようにしたものであっても必要揚程を確保できる。
【００９６】
又、この第１実施例の高所使用器材付きリフター装置では、上記の第１使用例のように基台１の下面に４つのキャスター１１を取付けたままで行っても、このリフター装置を自力でトラック荷台上に積み降ろしできる。即ち、図７に鎖線図示するように、各アウトリガ４をそれぞれ張り出し、各ジャッキ４３を最伸長させた状態では、キャスター１１の下面と地面との間にトラック荷台を出し入れし得るスペースが確保されるようになっている。従って、このリフター装置をトラック荷台上から地上に降ろすとき、及びリフター装置を地上に設置した状態からトラック荷台上に載せるとき等には、各アウトリガ４及び各ジャッキ４３を所定順序で操作することによって、クレーンを使用することなく自力で積み降ろしできる。
【００９７】
図１４〜図１６には、第１実施例の高所使用器材付きリフター装置の第２使用例が示されている。この第２使用例では、このリフター装置をトラック荷台８１に載せて搬送するのに適したもので、基台１の下面の各キャスターを取外した状態で行う。
【００９８】
この場合（キャスターがない場合）、リフター装置自体で設置姿勢の向きを変えることはできないが、図１４に示すようにトラック荷台８１上に搭載したときに、キャスターがない分、全高を低く抑えることができる。従って、公道を走行する際の道路運送車輌法による高さ制限（３.８ｍ）に余裕ができる。
【００９９】
尚、トラック荷台８１上から高所使用器材付きリフター装置を目的位置の地上に降ろすには、まず図１４に示すように該リフター装置をトラック荷台８１に搭載した状態で目的位置まで搬送し、そこで図１５の状態から、まず各アウトリガ４を鎖線図示するように左右各側に張り出し、続いて各ジャッキ４３を最伸長させるさせることで、図１６に示すように基台１をトラック荷台８１の上方に浮上させ、その状態でトラックを退出させればよい。
【０１００】
他方、リフター装置を地上に設置した状態からトラック荷台に載せるには、各アウトリガ４を左右各側に張り出し、各ジャッキ４３を最伸長させて、図１６に示すように基台１の下方に大きなスペースを設ける。そして、トラックを後進させてトラック荷台８１を基台１の下方に送込み、各ジャッキ４３を最縮小して基台１をトラック荷台８１上に着座させ、各アウトリガ４をそれぞれ格納することで図１５に示すようにリフター装置をトラック荷台１上に載せることができる。
【０１０１】
［図１７〜図２０の第２実施例］
この第２実施例の高所使用器材付きリフター装置では、高所使用器材３を伸縮ブーム上端に対して下動位置Ａと上動位置Ｂとに変位させる上下動手段５０として、伸縮ブーム２とは別体の２本の伸縮シリンダ５６，５６を使用している。
【０１０２】
又、この第２実施例では、第１実施例の仮保持手段７０に代わるものとして、昇降体側（図示例では支持台３５）に前後２つのピンユニット５７，５７を取付ける一方、各伸縮シリンダ５６，５６の伸縮側（図示例ではシリンダチューブ）にピンユニット５７のピンを係合させるピン受穴５９付きのブラケット５８を固定している。各ピンユニット５７，５７は、第１実施例のピンユニット６２（又は７２）と同構造のものが採用されている。
【０１０３】
尚、第２実施例の高所使用器材付きリフター装置におけるその他の構成は、上記第１実施例のものと同じであり、重複をさけるためにそれらの構成及び機能の説明は第１実施例のものを援用する。
【０１０４】
この第２実施例の高所使用器材付きリフター装置では、図１７の格納状態において、各ピンユニット５７，５７のピンをそれぞれ各伸縮シリンダ５６，５６のブラケット５８，５８の各ピン受穴５９，５９に係合させ、その状態で各伸縮シリンダ５６，５６を伸長させると、図１８に示すように昇降体（高所使用器材３〜各スライド筒５２）が４本のガイド棒５１にガイドされて、上動位置用の支持手段６１が機能する位置まで上動せしめられる。この状態では、図１２と同様に、各ピンユニット６２のピンが各ガイド棒５１に設けたピン挿通穴６８に係合可能となっており、該各ピンを各ピン挿通穴６８に係合させることによって昇降体を伸縮ブーム２の上端（張出材２４）に各ガイド棒５１を介して連結できる。その後、支持台３５側の各ピンユニット５７，５７をロック解除すれば、図１９に示すように各伸縮シリンダ５６，５６を縮小させることができる。尚、この状態では、昇降体は、上動位置Ｂにおいて各支持手段６１で支持されている。
【０１０５】
そして、図１９の状態から、各伸縮ブーム２，２を最伸長させると、図２０に示すように高所使用器材３を高所の使用位置まで持ち上げることができる。
【０１０６】
この第２実施例の場合は、上下動手段５０として伸縮シリンダ５６，５６が必要であるが、昇降体を下動位置Ａと上動位置Ｂとに載せ代えるのに際して、第１実施例のように伸縮ブーム２，２の伸長及び縮小操作が不要となり、作業工程が簡単になる。
【０１０７】
尚、この第２実施例の高所使用器材付きリフター装置でも、第１実施例のほとんどの機能を有している。
【０１０８】
［図２１の第３実施例］
この第３実施例の高所使用器材付きリフター装置では、高所使用器材３として監視カメラに代えて照明器３２を採用しているが、その他の構成は第１実施例のものと同じであり、それらの構成及び機能の説明は第１実施例のものを援用する。
【図面の簡単な説明】
【０１０９】
【図１】本願第１実施例の高所使用器材付きリフター装置の格納状態図である。
【図２】図１の平面図である。
【図３】図１の左側面図である。
【図４】図３の一部拡大図である。
【図５】図４のＶ−Ｖ拡大断面図である。
【図６】図１からのアウトリガ及びジャッキ作動説明図である。
【図７】図６の左側面図である。
【図８】第１実施例の第１使用例で、図６からの作動変化図である。
【図９】図８の左側面図である。
【図１０】図９のＸ−Ｘ拡大断面図である。
【図１１】図９からの作動変化図である。
【図１２】図１１のＸII−ＸII拡大断面図である。
【図１３】図１１からの作動変化図（使用状態図）である。
【図１４】第１実施例の第２使用例を示す正面図である。
【図１５】図１４の右側面図である。
【図１６】図１５からの作動変化図である。
【図１７】本願第２実施例の高所使用器材付きリフター装置の格納状態図である。
【図１８】図１７からの作動変化図である。
【図１９】図１８からの作動変化図である。
【図２０】図１９からの作動変化図である。
【図２１】本願第３実施例の高所使用器材付きリフター装置の格納状態図である。
【図２２】従来例の伸縮照明塔の説明図である。
【符号の説明】
【０１１０】
１は基台、２は伸縮ブーム、３は高所使用器材、４はアウトリガ、２１は基端ブーム、２３は先端ブーム、２４は張出材、３１は監視カメラ、３２は照明器、４１は外筒、４２は内筒、４３はジャッキ、５０は上下動手段、５１はガイド棒、５２はスライド筒、５６は伸縮シリンダ、６０は下動位置用の支持手段（ストッパー）、６１は上動位置用の支持手段、６２はピンユニット、６８はピン挿通穴、７０は仮保持手段、７１はピン受台、７２はピンユニット、Ａは下動位置、Ｂは上動位置である。
【図１】
0004610477.tif 000002
【図２】
0004610477.tif 000003
【図３】
0004610477.tif 000004
【図４】
0004610477.tif 000005
【図５】
0004610477.tif 000006
【図６】
0004610477.tif 000007
【図７】
0004610477.tif 000008
【図８】
0004610477.tif 000009
【図９】
0004610477.tif 000010
【図１０】
0004610477.tif 000011
【図１１】
0004610477.tif 000012
【図１２】
0004610477.tif 000013
【図１３】
0004610477.tif 000014
【図１４】
0004610477.tif 000015
【図１５】
0004610477.tif 000016
【図１６】
0004610477.tif 000017
【図１７】
0004610477.tif 000018
【図１８】
0004610477.tif 000019
【図１９】
0004610477.tif 000020
【図２０】
0004610477.tif 000021
【図２１】
0004610477.tif 000022
【図２２】
0004610477.tif 000023